(57)【特許請求の範囲】
【請求項１】
入力された画像信号を、該画像信号による出力の質が所定の質となるように、ユーザが画質を調整するための調整部と、
上記調整部による一連の画質の調整における最終調整値および該最終調整値に至る調整値の変化の過程に係る履歴情報からなる操作情報を、前記一連の調整におけるユーザの趣向情報と対応づけて操作過程パターンとして記憶媒体に記憶する記憶部と、
前記画像信号による出力の質の調整時におけるユーザの操作意図または操作傾向である趣向情報を推定する趣向推定部と、
ユーザの周囲における明るさ情報を取得するための情報取得部を備え、
前記調整時の趣向の収集が可能なユーザの操作情報は、その特徴に応じてグループに分類されて記憶媒体に記憶され、
前記記憶部は、前記一連の画質の調整における最終調整値および前記履歴情報に、該一連の調整をした際に前記情報取得部で取得された前記明るさ情報を付加して記憶媒体に記憶し、
前記記憶媒体に記憶された、前記調整時の趣向が収集できたユーザの操作情報と趣向情報を用いて、前記調整時の趣向を収集できないユーザの操作情報に対応する趣向情報を推定すると共に、
前記趣向推定部は、前記調整時の趣向を収集できないユーザの操作情報がいずれのグループに属するかを特定し、前記調整時の趣向を収集できないユーザの趣向情報を、前記特定されたグループに属する前記調整時の趣向が収集できたユーザの操作情報に対応する趣向情報と同じであるとみなす処理を行うものであり、
前記操作過程パターンを得る際に、前記情報取得部が取得した明るさ情報に基づいて、明るい環境での操作過程パターンと、暗い環境での操作過程パターンに分けるようにした
情報信号処理装置。
【請求項２】
前記調整時の趣向が収集できたユーザの操作情報は、該操作情報の履歴情報の波形、振動数、振幅の大きさ、収束の仕方、収束時間、変化の速さ、変更頻度、操作時間、波形の時間的変化のいずれか１つ以上の条件の組合せに基づいて、グループに分類される、
請求項１に記載の情報信号処理装置。
【請求項３】
前記調整部における調整を遠隔操作する送信部をさらに備え、
前記記憶部は、前記送信部から前記最終調整値および前記履歴情報を取得する、
請求項１または２に記載の情報信号処理装置。
【請求項４】
入力された画像信号を、該画像信号による出力の質が所定の質となるようにユーザが行った一連の画質の調整における最終調整値、および該最終調整値に至る調整値の変化の過程に係る履歴情報からなる操作情報を取得する操作情報取得ステップと、
前記画像信号による出力の質の調整時におけるユーザの操作意図または操作傾向である趣向情報を取得する趣向情報取得ステップと、
前記一連の調整における前記最終調整値および前記履歴情報を、前記一連の調整におけるユーザの前記趣向情報と対応づけて操作過程パターンとして記憶媒体に記憶する記憶ステップと、
ユーザの周囲における明るさ情報を取得し、前記一連の画質の調整における最終調整値および前記履歴情報に、該一連の調整をした際に取得された前記明るさ情報を付加して記憶媒体に記憶させる明るさ情報取得ステップと、
前記操作情報取得ステップが取得したユーザの操作情報を、その特徴に応じてグループに分類して前記記憶媒体に記憶する分類ステップと、
前記記憶媒体に記憶された、調整時の趣向が収集できたユーザの操作情報と趣向情報を用いて、調整時の趣向を収集できないユーザの操作情報に対応する趣向情報を推定すると共に、調整時の趣向を収集できないユーザの操作情報がいずれのグループに属するかを特定し、調整時の趣向を収集できないユーザの趣向情報を、特定されたグループに属する調整時の趣向が収集できたユーザの操作情報に対応する趣向情報と同じであるとみなす処理を行う趣向情報推定ステップと、
前記操作過程パターンを、前記明るさ情報取得ステップで取得した明るさ情報に基づいて、明るい環境での操作過程パターンと、暗い環境での操作過程パターンに分けて前記記憶媒体に記憶する操作過程パターン処理ステップと、
を含む情報信号処理方法。
【請求項５】
前記調整時の趣向が収集できたユーザの操作情報は、該操作情報の履歴情報の波形、振動数、振幅の大きさ、収束の仕方、収束時間、変化の速さ、変更頻度、操作時間、波形の時間的変化のいずれか１つ以上の条件の組合せに基づいて、グループに分類される、
請求項４に記載の情報信号処理方法。
【請求項６】
入力された画像信号を、該画像信号による出力の質が所定の質となるようにユーザが行った一連の画質の調整における最終調整値、および該最終調整値に至る調整値の変化の過程に係る履歴情報からなる操作情報を取得する操作情報取得手順と、
前記画像信号による出力の質の調整時におけるユーザの操作意図または操作傾向である趣向情報を取得する趣向情報取得手順と、
前記一連の調整における前記最終調整値および前記履歴情報を、前記一連の調整におけるユーザの前記趣向情報と対応づけて操作過程パターンとして記憶媒体に記憶する記憶手順と、
ユーザの周囲における明るさ情報を取得し、前記一連の画質の調整における最終調整値および前記履歴情報に、該一連の調整をした際に取得された前記明るさ情報を付加して記憶媒体に記憶させる明るさ情報取得手順と、
前記操作情報取得手順が取得したユーザの操作情報を、その特徴に応じてグループに分類して前記記憶媒体に記憶する分類手順と、
前記記憶媒体に記憶された、調整時の趣向が収集できたユーザの操作情報と趣向情報を用いて、調整時の趣向を収集できないユーザの操作情報に対応する趣向情報を推定すると共に、調整時の趣向を収集できないユーザの操作情報がいずれのグループに属するかを特定し、調整時の趣向を収集できないユーザの趣向情報を、特定されたグループに属する調整時の趣向が収集できたユーザの操作情報に対応する趣向情報と同じであるとみなす処理を行う趣向情報推定手順と、
前記操作過程パターンを、前記明るさ情報取得ステップで取得した明るさ情報に基づいて、明るい環境での操作過程パターンと、暗い環境での操作過程パターンに分けて前記記憶媒体に記憶する操作過程パターン処理手順と、
を含む情報信号処理方法をコンピュータに実行させるためのプログラム。
【請求項７】
前記調整時の趣向が収集できたユーザの操作情報は、該操作情報の履歴情報の波形、振動数、振幅の大きさ、収束の仕方、収束時間、変化の速さ、変更頻度、操作時間、波形の時間的変化のいずれか１つ以上の条件の組合せに基づいて、グループに分類される、
請求項６に記載のプログラム。
【発明の詳細な説明】
【技術分野】
【０００１】
この発明は、情報信号処理装置、情報信号処理方法、並びにその処理方法をコンピュータに実行させるためのプログラムに関する。詳しくは、この発明は、入力された情報信号について、この情報信号による出力の質が所定の質となるようにユーザが調整する場合に、一連の調整における最終調整値を効果的に利用するための技術に関わる。
【背景技術】
【０００２】
近年、オーディオ・ビジュアル指向の高まりから、より高解像度の画像を得ることができるようなテレビジョン受像機の開発が望まれ、この要望に応えて、いわゆるハイビジョンが開発された。ハイビジョンの走査線は、ＮＴＳＣ方式の走査線数が５２５本であるのに対して、２倍以上の１１２５本である。また、ハイビジョンの縦横比は、ＮＴＳＣ方式の縦横比が３：４であるのに対して、９：１６となっている。このため、ハイビジョンでは、ＮＴＳＣ方式に比べて、高解像度で臨場感のある画像を表示することができる。
【０００３】
ハイビジョンはこのように優れた特性を有するが、ＮＴＳＣ方式のビデオ信号をそのまま供給しても、ハイビジョンによる画像表示を行うことはできない。これは、上述のようにＮＴＳＣ方式とハイビジョンとでは規格が異なるからである。
【０００４】
そこで、本出願人は、先に、ＮＴＳＣ方式のビデオ信号に応じた画像をハイビジョン方式で表示するため、ＮＴＳＣ方式のビデオ信号をハイビジョンのビデオ信号に変換するための変換装置を提案した（特許文献１参照）。
【０００５】
この変換装置では、ＮＴＳＣ方式のビデオ信号から、ハイビジョンのビデオ信号の注目位置の画素データに対応するブロック（領域）の画素データを抽出し、このブロックの画素データのレベル分布パターンに基づいて、上述の注目位置の画素データの属するクラスを決定し、このクラスに対応して、上述の注目位置の画素データを生成するようになっている。
【０００６】
上述した変換装置においては、ハイビジョンのビデオ信号による画像の解像度は固定されており、従来のコントラストやシャープネス等の調整のように、画像内容等に応じて、ユーザの好みの解像度とすることができなかった。
【０００７】
そこで、本出願人は、ＮＴＳＣ方式のビデオ信号をハイビジョンのビデオ信号に変換する際に、入力されるパラメータの値に対応してハイビジョンのビデオ信号を生成し、当該ハイビジョンのビデオ信号によって得られる画像の解像度等をユーザが自由に調整し得る情報信号処理装置を提案した（特許文献２参照）。
【０００８】
さらに、本出願人は、入力されたビデオ信号等の情報信号を、この情報信号による出力の質が所定の質となるように、ユーザが調整する場合、一連の調整における最終調整値の他に、この最終調整値に至る調整値の変化の過程に係る履歴情報或いはユーザの周囲における環境情報を記憶媒体に記憶し、最終調整値をより効果的に利用する情報信号処理装置を提案した（特許文献３参照）。
【０００９】
この特許文献３によれば、最終調整値の重みを考慮する際、この最終調整値に至る調整値の変化の過程に係る履歴情報（操作過程）や環境情報を考慮することで、最終調整値をより効果的に利用可能としており、例えばユーザの嗜好に合わせた調整を良好に行い得る。
【００１０】
【特許文献１】特開平８−５１５９９号公報
【特許文献２】特開２００１−２３８１８５号公報
【特許文献３】特開２００５−９４１５４号公報
【発明の開示】
【発明が解決しようとする課題】
【００１１】
ところで、特許文献３において提案された技術では、ユーザの操作過程から最終的な調整値の重みを決める際に、操作過程に基づいて分類した操作パターンまたはユーザの周囲の環境に応じて、調整値の重みを画一的に決めていた。
【００１２】
ユーザの操作過程は、ユーザの性格やその日の気分、周囲の環境など種々の要因に影響される。そのような人の趣向に影響を与える要因の中で、ユーザごとの人的要因（内的要因）による影響がもっとも大きく、ユーザによって操作するときの意図と操作過程が大きく異なることがある。従来技術では、このようなユーザごとの違い（人的要因、内的要因）が考慮されていないため、最終調整値の信頼性の評価としては精度が低いものとなっていた。
【００１３】
斯かる点に鑑み、この発明の目的は、ユーザ操作による最終調整値に対する評価の信頼性をより向上させることにある。
【課題を解決するための手段】
【００１４】
上記課題を解決するため、本発明においては、まず情報信号処理装置に入力された画像信号を、該画像信号による出力の質が所定の質となるように、ユーザが調整部を利用して画質を調整する。このユーザによる一連の画質の調整における最終調整値および該最終調整値に至る調整値の変化の過程に係る履歴情報からなる操作情報を、一連の調整におけるユーザの操作意図または操作傾向である趣向情報と対応づけて操作過程パターンとして記憶媒体に記憶し、取得する。そして、この記憶媒体に記憶された、調整時の趣向が収集できたユーザの操作情報と趣向情報を用いて、調整時の趣向を収集できないユーザの操作情報に対応する趣向情報を推定するようにする。
【００１５】
例えば、調整時の趣向の収集が可能なユーザの操作情報を、その特徴に応じてグループに分類して記憶媒体に記憶する。次に、調整時の趣向を収集できないユーザの操作情報が、上記記憶媒体に記憶されたいずれのグループに属するかを特定する。そして、調整時の趣向を収集できないユーザの趣向情報を、その特定されたグループに属する趣向の収集が可能なユーザの操作情報に対応する趣向情報と同じであるとみなして、調整時の趣向を収集できないユーザの趣向を推定する。
この場合、一連の調整における最終調整値および履歴情報に、該一連の調整をした際に取得された明るさ情報を付加して記憶媒体に記憶させ、操作過程パターンを得る際に、明るさ情報に基づいて、明るい環境での操作過程パターンと、暗い環境での操作過程パターンに分けるようにした。
【００１６】
上述した発明においては、入力された情報信号は、それによる出力の質が所定の質となるようにユーザにより調整される。例えば、画質の調整とは解像度、ノイズ抑圧度、輝度、色相、彩度等の調整を意味している。
【００１７】
このようにしたことにより、ユーザによる一連の調整における最終調整値に至る変化の過程に係る履歴情報を含む操作情報を利用して、趣向の聞けないユーザが属するユーザグループを特定し、特定したグループに属する趣向を聞けるユーザの調整時の趣向情報に基づいて、趣向の聞けないユーザによる調整時の趣向を推定することができる。
【発明の効果】
【００１８】
本発明によれば、趣向の聞けないユーザによる調整時の趣向を趣向の聞けるユーザの趣向情報に基づいて推定することにより、ユーザによる一連の調整における最終調整値に対する評価の信頼性をより向上させることができる。
【発明を実施するための最良の形態】
【００１９】
以下、図面を参照しながら、本発明の実施の形態について説明する。
【００２０】
＜１．システム概要＞
まず、本発明のシステムの概要を説明する。図１は、ユーザが操作する装置を含むシステムの概要を示している。このシステムは、入力装置１、趣向データ可変装置２、呈示装置３、センサ４及び情報蓄積装置５から構成される。趣向データ可変装置２および情報蓄積装置５は情報信号処理装置の一例である。なお、情報蓄積装置５と趣向データ可変装置２のみ、さらには情報蓄積装置５と趣向データ可変装置２にセンサ４を加えて情報信号処理装置を構成するようにしてもよい。
【００２１】
入力装置１は、人の好みが存在する信号を発生する信号発生器である。言い換えれば、この信号は人によって好みの判断が分かれるような信号のことである。信号の具体的な例としては、解像度感、色合い感、ノイズ感等が存在する画像信号や、音量、重低音感などが存在する音声信号がある。
【００２２】
趣向データ可変装置２は、上記入力装置１から入力される信号の質を調整するためユーザによる操作が行われる可変部を備え、入力装置１より入力された信号をユーザの好みの質に変化させることができる装置（調整部）である。この趣向データ可変装置２の可変部には、例えばロータリー式の他、ジョイスティックやキーボード（ボタン）、マウス等を適用することができる。
【００２３】
呈示装置３は、趣向データ可変装置２におけるユーザの操作によって変化する信号をユーザに呈示、或いは伝える装置である。呈示装置３としては、例えば液晶ディスプレイやプラズマディスプレイなどの表示装置、或いはスピーカなどが適用される。
【００２４】
センサ４は、ユーザが操作を行う際の外部環境の情報を取得するための装置（情報取得部）である。具体的な例としては、例えばその場の明るさを測定する装置、その場の音の大きさを測定する装置、操作を行うユーザと呈示装置３までの距離を測定する装置などがある。
【００２５】
情報蓄積装置５は、趣向データ可変装置２およびセンサ４が取得した情報を蓄積する装置（記憶部）である。このデータ蓄積装置５は、図１に示すような趣向データ取得装置２を備えるシステムに接続されて存在する場合と、いくつかの大きなエリア例えばＷＡＮ（Wide Area Network）やＬＡＮ（Local Area Network）等のネットワーク単位で一つ設けられて存在する場合がある。データ蓄積装置５がネットワーク単位で存在する場合、取得した情報をネットワークを介して外部へ送信することができる。
【００２６】
このように構成されたシステムにおいて、入力装置１から入力された信号、例えば画像信号が趣向データ可変装置２で可変された後に、呈示装置３にて画像が表示される。ユーザは、呈示装置３に表示された画像を評価し、必要に応じて趣向データ可変装置２の可変部に対して操作を行う。そのときの操作情報と操作を行っているときのセンサ４によって取得される環境情報を、情報蓄積装置５に蓄積する。
【００２７】
ところで、同じ操作であってもユーザごとに趣向は異なる。すなわち、一連の調整における最終調整値に至る変化の過程（以下、「操作過程」という）が同じであっても、あるユーザと他のユーザとでは別の意図を持って操作していることがある。この操作情報に含まれる操作過程および最終調整値については、後に詳述する。一方、趣向が同じユーザ同士は、一連の調整において同じような最終調整値および操作過程を経るであろうと推測することができる。したがって、あるユーザの操作過程の趣向がわかれば、その趣向を用いて最終調整値の信頼性をより正確に評価することが可能になる。そこで、予めユーザの操作時の趣向を聞いて収集しておき、例えばユーザの操作過程と趣向を関係づけておく。そして、あるユーザの一連の調整における操作過程の情報を情報蓄積装置５に記録し、その操作過程の情報を加工して該加工した情報に基づいてユーザの趣向を推定する方法が考えられる。
【００２８】
しかし、図２に示すように、一連の調整における最終調整値に至る変化の過程に対する趣向を聞けるユーザばかりではなく、趣向を聞けないユーザが多数存在する。したがって、多数のユーザから操作時の趣向を聞く、すなわち趣向情報を収集することは難しい。しかし、限られた人数について実験（聞き取り）を行い、操作を行ったときの趣向を聞くことができる。この趣向が聞けないユーザからは以下で述べる操作情報と環境情報を取得する。趣向の聞けるユーザからは，以下で述べる操作情報と環境情報に加え、趣向情報を取得することができる。
【００２９】
ここで、図３のフローチャートを参照しながら、趣向の聞けるユーザから収集した操作情報の加工処理について説明する。詳細は取得情報の加工にて説明する。この加工処理では、趣向データ可変装置２等を用い、趣向の聞ける複数のユーザの一連の調整における操作過程を含む操作情報を収集して情報蓄積装置５に蓄積し、この操作情報をコンピュータを用いて処理する。なお、この加工処理を実行する前に、ユーザから操作時の趣向情報の聞き取りをしておくことが前提である。
【００３０】
まず、最初に趣向の聞ける複数のユーザに対して何らかの手段により、所定の調整項目を調整するときの操作過程と趣向情報を集め、情報蓄積装置５に記憶する。コンピュータは趣向の聞けるユーザに関する情報を情報蓄積装置５から読み出す（ステップＳ１）。
【００３１】
次に、操作過程のパターン分類を実行する（ステップＳ２）。この操作過程のパターン分類では、情報蓄積装置５に蓄積した操作情報から操作過程を抜き出し、その操作過程を波形や操作頻度、操作時間など、いくつかの特徴を用いていくつかのパターン（操作過程パターン）に分類する。
【００３２】
なお、この操作過程のパターン分類は、同じ最終調整値ごとに行うことが望ましい。分類した操作過程パターンを、さらに最終調整値ごとに分類しておくことにより、後述するユーザをグループ化する際さらに正確なグループの分類が可能になる。
【００３３】
続いて、上記操作過程パターンを用いてユーザを分類する（ステップＳ３）。上記ステップＳ１の処理でユーザのすべての操作過程を分類すると、ユーザごとに存在する操作過程パターンの種類や頻度、順番などに特徴があることがわかる。この操作過程パターンによるユーザの分類では、これらの特徴が似ているユーザ同士は趣向も近いと考えられるので、同じグループに分類する。
【００３４】
そして、ユーザの操作過程パターンと趣向の結びつけを行う（ステップＳ４）。操作過程パターンの特徴によって分類されたグループごとに存在する操作過程と実験段階（聞き取り）で集めた趣向情報とを結びつけ、その結びつけをすべてのグループですべての操作過程に対して行い、データベース化する（ステップＳ５）。
【００３５】
次に、図４のフローチャートを参照しながら、趣向の聞けないユーザから収集した操作情報の加工処理について説明する。詳細は取得情報の加工にて説明する。この加工処理では、情報蓄積装置５等を用いて、複数のユーザの一連の調整における操作過程を含む操作情報を収集して情報蓄積装置５に蓄積し、この操作情報をコンピュータを用いて処理する。
【００３６】
まず、コンピュータは趣向の聞けないユーザに関する情報を情報蓄積装置５から読み出す（ステップＳ１１）。
【００３７】
次に、操作過程のパターン分類を実行する（ステップＳ１２）。この操作過程のパターン分類では、図３に示した趣向の聞けるユーザの操作過程のパターン分類と同様に、情報蓄積装置５に蓄積した操作情報から操作過程を抜き出し、その操作過程を波形や操作頻度、操作時間など、いくつかの特徴を用いていくつかのパターン（操作過程パターン）に分類する。
【００３８】
続いて、上記操作過程パターンを用いてユーザを分類する（ステップＳ１３）。この操作過程パターンによるユーザの分類では、図３に示した趣向の聞けるユーザの操作過程パターンによる分類と同様に、上記ステップＳ１１の処理でユーザのすべての操作過程を分類すると、ユーザごとに存在する操作過程パターンの種類や頻度、順番などに特徴があることがわかる。この操作過程パターンによるユーザの分類では、これらの特徴が似ているユーザ同士は趣向も近いと考えられるので、これらの特徴を用いてグループに分類する。このときのユーザの分類は、上記趣向の聞けるユーザと趣向の聞けないユーザについて、同じ分類条件に従って分類するものとする。
【００３９】
そして、趣向の聞けないユーザの操作時の趣向を推定する（ステップＳ１４）。このユーザの趣向推定では、図３のステップＳ５の処理にて作成したユーザごとの操作過程パターンと趣向情報のデータベースから、趣向の聞けないユーザと同じグループに属する趣向の聞けるユーザの趣向情報を抽出する。趣向の聞けないユーザの趣向情報は、該趣向の聞けないユーザと同じグループに属している趣向の聞けるユーザの趣向情報と同じであるとみなして、趣向が聞けないユーザの趣向情報を推定する（ステップＳ１５）。
【００４０】
＜２．取得情報＞
次に、図１に示す情報蓄積装置５がユーザから取得する情報について説明する。図５は、取得情報の概念を示している。図５に示すように、情報蓄積装置５が取得・蓄積できる情報には、操作情報、環境情報および趣向情報がある。ただし、取得情報については、事前に取得（収集）できるのは趣向を聞けるユーザに限られる。
【００４１】
2.(1)  操作情報
操作情報とは、情報蓄積装置５に蓄積される情報の一つであり、ユーザの操作時の趣向が表現されているものをいう。その操作情報としては大きく分けて操作過程と最終調整値の２つの情報がある。操作情報については、本出願人が先に出願した特開２００５−９４１５４号公報の明細書の段落０１０４、０１１４および０１１５、並びに図１０等に記載されているので、ここでは簡単に説明する。
【００４２】
2.(1).1  操作過程
操作過程とは、趣向データ可変装置２における可変値（調整値）の変更履歴であり、最終的に落ち着いたときの値（最終調整値）に至るまでの過程を指す。この操作過程には多くの情報が含まれている。具体的な情報の例を以下に示す。
ａ．波形
ｂ．振動数
ｃ．振幅の大きさ
ｄ．収束の仕方
ｅ．収束時間
ｆ．変化の速さ
ｇ．変更頻度
ｈ．操作時間
ｉ．波形の時間的変化
【００４３】
2.(1).2  最終調整値
最終調整値とは、ユーザが趣向データ可変装置２で可変値（調整値）を変更して、最終的にある値に決定し、ある程度の時間その値に設定し続けていた調整値を指す。
【００４４】
図６は、一連の調整における調整値の変化例を示している。この例では、ユーザは調整値を０〜８の範囲（レンジ）で調整できるものである。なお、この一連の調整における調整値の変化の過程に対応した時間を全体の収束時間と呼んでいる。また、一連の調整が終了し最終調整値に至ったかは、ある調整値に変化しその調整値が所定時間以上変化しなかったことで判断できる。
【００４５】
操作経過（履歴情報）として、最終調整値に至るまでの変化の過程にある調整値をそのまま或いは所定のサンプリング周期で情報蓄積装置５に記憶してもよいが、それから得られる加工情報を記憶してもよい。例えば、加工情報は、上述の図６に示す全体の収束時間の情報の他に、調整値の変化の過程に対応した波形の形状情報等が考えられる。
【００４６】
例えば、波形の形状情報は、調整値の変化の過程を、呈示装置３の画面上に表示される画像の画質の変化をユーザが見極めていた期間に対応する第１の領域ＳＡ、およびその後の画像の画質が所定の画質となるように調整していた期間に対応する第２の領域ＳＢに分割し、それぞれの領域における波形形状を複数のタイプに分別することで得られる。
【００４７】
ここで、第１の領域ＳＡの波形形状に関しては、この領域に含まれる波の数から複数のタイプに分別できる。この場合、波の数が多くなるタイプ程、ユーザにとって、調整値の変化による画質の変化がわかりにくかったとも考えられるが、最終調整値の信頼度についてはそのときのユーザの趣向から判断する。
【００４８】
また、第２の領域ＳＢの波形形状に関しては、振幅の減衰の仕方を複数のタイプに分別できる。この場合、減衰の仕方が急な程、ユーザは画像の画質の細かな変化を見ないで最終調整値を決定したとものとも考えられるが、最終調整値の信頼度についてはそのときのユーザの趣向から判断する。
【００４９】
調整値の変化の過程を、上述したように２つの領域ＳＡ，ＳＢに分割する方法は、本出願人が先に出願した特開２００５−９４１５４号公報に詳細に記載されているので、必要であればこちらを参照されたい。
【００５０】
2.(2)  環境情報
環境情報とは、情報蓄積装置５に蓄積される情報の一つで、各種センサから取得されるユーザの操作環境や周囲の環境がわかる情報である。具体的な情報の例を以下に示す。
ａ．周囲の明るさ
ｂ．周囲の騒音
ｃ．天気
ｄ．表示装置
ｅ．入力装置
ｆ．入力フォーマット
ｇ．その他
【００５１】
また、その他の項目としては、振動、機器の設置位置および高さ等が考えられる。機器の設置位置および高さの情報は、ユーザが入力してもよいし、重力計やＧＰＳ（Global Positioning System）などを用いてもよい。
【００５２】
2.(3)  趣向情報
趣向情報とは、ユーザの操作に影響を与えているユーザ内部の要因である。この情報は多くのユーザでは取得できないが、試験的に限られた人数において取得することができる。具体的には以下に挙げるような情報が考えられる。
ａ．操作意図
ｂ．好み
ｃ．気分
【００５３】
操作意図とは、調整項目に対するユーザの考えや目的などである。好みとは、調整項目に対するユーザの傾向または嗜好などである。気分とは、操作時におけるユーザの心身状態や気持ちなどである。
【００５４】
＜３．取得情報の加工＞
次に、コンピュータによる取得した情報の加工処理について説明する。ここでは、操作過程のパターン分類、ユーザの操作過程のパターによる分類、並びに趣向の聞けるユーザから趣向の聞けないユーザの趣向推定に分けて説明する。
【００５５】
3.(1)  操作過程のパターン分類
図７に示すように、調整時のユーザの各操作においていくつかの操作過程のパターンが存在する。この操作過程のパターンを、操作過程の特徴を用いていくつかのパターンに分類する。例えば、操作過程の特徴（属性）として、操作時間、収束の仕方、振幅の大きさを想定する。それぞれの属性の持つ条件を、例えば以下のように設定する。
（ア）操作時間（一定時間未満／一定時間以上）
（イ）収束の仕方（徐々に収束／発散／収束しない）
（ウ）振幅の大きさ（可変範囲を移動／ある途中の値を移動）
【００５６】
この場合、操作過程のパターンとしては１２パターン（２＊３＊２）が存在することになり、ユーザの各操作過程をこの１２パターンに分類できる。ここで、操作時間とは、ユーザが調整を開始してから最終調整値に至るまでの時間である。また、収束の仕方の条件において、徐々に収束とあるのは、／発散／収束しないとあるのは、例えば図７を例に説明するとそれぞれ、最終調整値Ｃ１，Ｂ１，Ａ１付近の変化がパターンＣ，パターンＢ，パターンＡのような場合にあたる。パターンＣは、最終調整値Ｃ１が一定値に収束している場合をいう。パターンＢは、最終調整値Ｂ１が徐々に発散していき一定値に落ち着かない場合をいう。さらにパターンＡは、最終調整値Ａ１が発散はしないものの徐々にレンズが低くなってなる場合をいう。また、振幅の大きさの条件において、可変範囲を移動とあるのは、例えば図６を例に説明すると、レンジ０−８の範囲を最大限に使用している第１の領域ＳＡのような場合に該当する。また、振幅の大きさの条件において、ある途中の値を移動とあるのは、レンジ０−８の範囲を最大限までは使用していない第２の領域ＳＢのような場合に該当する。
【００５７】
3.(2)  ユーザの操作過程のパターンによる分類
図７のようにユーザの各操作過程をパターン分類できると、その情報からさらにユーザを分類することができる。図８に示すように、ユーザごとに操作過程パターンがある。この図８において、操作過程パターンの出現頻度や出現比率などを加味することにより、ユーザを図１１に示すようなグループＡ〜Ｃに分類することができる。例えば、操作過程の前半と後半で出現する操作過程パターンの比率の近さでユーザを分類するときには、図８に示したユーザ１〜Ｎでは、ユーザ２とユーザＮがともに、前半は操作過程パターンＢが多くそれぞれ３連続と４連続でパターンＢである。一方、後半は操作過程パターンＡが多くそれぞれ３連続と４連続でパターンＡであることから、操作過程のパターンの頻度が類似しているとして同じグループに分類する。
【００５８】
本実施の形態では、図１に示すようにセンサ４を用いて環境情報を取得できる。したがって、調整時のユーザの各操作においていくつかの操作過程のパターンが存在すると同時に、環境情報のパターンが存在する。この操作過程や環境情報のパターンを操作過程の特徴や環境情報を用いていくつかのパターンに分類する。例えば、環境情報が「明るい環境および液晶ディスプレイ」である場合、図７に示した操作過程のパターンは、図９に示すように「明るい環境および液晶ディスプレイ」という環境情報と対にして、情報蓄積装置５に蓄積される。
【００５９】
本実施の形態では、「2.(2)  環境情報」で示した環境情報の各属性の条件を、例えば以下のように設定する。
（ア）周囲の明るさ（明るい／暗い）
（イ）周囲の騒音（騒がしい／静か）
（ウ）天気（晴れ／曇り／雨）
（エ）表示装置（ＣＲＴ／液晶ディスプレイ／プラズマディスプレイ）
（オ）入力装置（ブルーレイ／ＨＤ−ＤＶＤ／ＤＶＤ／ＶＨＳ）
（カ）入力フォーマット（４８０ｉ／４８０ｐ／７２０ｐ／１０８０ｉ／１０８０ｐ）
【００６０】
上記操作過程の特徴や環境情報を用いた場合には、それぞれの組合せで多数のパターンが存在し、ユーザの操作パターンを分類することができる。
【００６１】
図１０に、操作過程と環境情報から作られる操作過程のパターンのデータベースのイメージ例を示す。図１０に示す例では、環境情報ごとに操作過程のパターンが分類されており、例えば、図１０（ａ）の操作過程パターンは「暗い環境およびプラズマディスプレイ」の場合、図１０（ｂ）の操作過程パターンは「暗い環境および液晶ディスプレイ」の場合、図１０（ｃ）の操作過程パターンは「明るい環境およびプラズマディスプレイ」の場合、図１０（ｄ）の操作過程パターンは「明るい環境および液晶ディスプレイ」の場合における操作過程パターンを示している。
【００６２】
3.(3)  趣向の聞けるユーザから趣向の聞けないユーザの趣向を推定
図１１に示した各グループ内に趣向が聞けるユーザを用意し、そのユーザから操作時の趣向を聞くことで、図１３に示すようなユーザが属するグループの操作過程のパターンと趣向情報のテーブル（データベース）を作成し、情報蓄積装置５に蓄積する。図１０の例では、グループＡとグループＢのそれぞれについて、全操作過程パターンとそのときの趣向情報が対応づけられている。
【００６３】
趣向の聞けないユーザに対して、操作過程のパターンからどのグループに属するかが分かれば、図１２に示すように同じグループに属する趣向の聞けるユーザの趣向と同じであるとみなして、その趣向の聞けないユーザの操作時における趣向を推定できる。
【００６４】
例えば、図１４に示すように、趣向の聞けないユーザの操作過程をパターン分類したところ、グループＡに属することが分かったとする。そのときに、グループＡでは、趣向の聞けるユーザから集めた操作情報と趣向情報から、図１３のようなデータベースが完成している。そのデータベースからグループＡに属する趣向の聞けるユーザの各操作過程パターンの趣向が分かる。
【００６５】
この例では、操作過程パターンＡは「ノイズの違いがわかった」というコメントがもらえたときの操作であるので、趣向が聞けないユーザの操作過程がパターンＡの場合、「ノイズの違いがわかった」ときの操作過程であると特定できる。これによって、この操作過程パターンＡを経て決定された最終調整値は、ユーザがノイズに対する好みが十分に反映されている調整値であると評価できる。したがって、この最終調整値の評価に際して、ユーザがノイズに対する好みが十分に反映されている調整値であることがわかっているという点で信頼できるので、最終調整値に対する評価の信頼性が向上する。
【００６６】
このように、ユーザによる一連の調整における最終調整値に至る変化の過程を利用して、趣向の聞けないユーザが属するユーザグループを特定し、特定したグループに属する趣向を聞けるユーザの趣向情報に基づいて、趣向の聞けないユーザによる操作時の趣向を推定することができる。その結果、趣向の聞けないユーザの操作時の趣向を推定することにより、趣向の聞けないユーザによる一連の調整における最終調整値に対する評価の信頼性をより向上させることができる。
【００６７】
＜４．テレビジョン受像機に適用した場合の実施の形態＞
本発明をテレビジョン受像機に適用した例について説明する。以下では、テレビジョン受像機本体と、取得装置、センサおよび蓄積装置とに分けて説明する。
【００６８】
4.(1)  テレビジョン受像機本体
図１５は、本発明の一実施の形態としてのテレビジョン受像機のブロック構成例を示している。このテレビジョン受像機１０は、本出願人が先に出願した特開２００５−９４１５４号公報にも記載されているように、チューナ１２で受信される放送信号、例えば５２５ｉ信号というＳＤ(Standard Definition)信号を、１０５０ｉ信号というＨＤ（High Definition）信号に変換し、このＨＤ信号による画像を表示する機能を持っている。ここで、５２５ｉ信号は、ライン数が５２５本でインタレース方式の画像信号であり、１０５０ｉ信号はライン数が１０５０本でインタレース方式の画像信号である。
【００６９】
１０５０ｉ信号の画素データとしては、５２５ｉ信号のラインに近い位置のラインデータＬ１，Ｌ１′と、５２５ｉ信号のラインから遠い位置のラインデータＬ２，Ｌ２′とが存在する。ここで、Ｌ１，Ｌ２は奇数フィールドのラインデータ、Ｌ１′，Ｌ２′は偶数フィールドのラインデータである。また、１０５０ｉ信号の各ラインの画素数は、５２５ｉ信号の各ラインの画素数の２倍である。
【００７０】
このテレビジョン受像機１０においては、内部バス１１を介して、チューナ１２、デコーダ１３、ＣＰＵ（Central Processing Unit）１４、ＲＡＭ(Random Access Memory)１５、ＲＯＭ(Read Only Memory)１６、情報取得用インターフェース１７、ＤＲＣ（Digital Reality Creation）回路１８、および入出力インターフェース１９が相互に接続されている他、必要に応じて、ドライブ２０および通信インターフェース３０がさらに接続される。入出力インターフェース１９には、受光部２２、表示部２４、ＨＤＤ（Hard Disk Drive）２５、操作部２６、センサ（情報取得部：図１に示すセンサ４と同機能）２８が接続されている。情報取得用インターフェース１７には、取得装置２７および蓄積装置２９が接続されている。
【００７１】
リモートコントロール信号を出力する送信機（以下、「リモコン送信機」という）２３は送信部の一例であり、ユーザの操作に応じた光信号（この例では赤外線信号）を出力し、この光信号は受光部２２から入力される。また、ユーザは、調整部の一例である操作部２６を操作することで指令を入力することもできる。ＣＰＵ１４は、受信した指令に基づく処理を実行する。ユーザは、例えばリモコン送信機２３を操作することにより、表示部２４に表示される画像の画質を調整するための調整値を入力できる。なお、画質の調整項目としては、空間解像度および時間解像度、ノイズ抑圧度、輝度、色相、彩度等があげられる。以下では、空間解像度および時間解像度の調整を例にして説明を行う。
【００７２】
調整部または趣向推定部として機能するＣＰＵ１４は、ＲＯＭ１６に記憶されているプログラム、または、ＨＤＤ２５からＲＡＭ１５にロードされたプログラムに従って各種の処理を実行する。ＲＡＭ１５にはまた、ＣＰＵ１４が各種の処理を実行する上において必要なデータなどが適宜記憶される。ＨＤＤ２５は、ＣＰＵ１４が実行するＯＳ（Operating System）やアプリケーションプログラムを格納する他、チューナ１２から受信した放送信号に基づくデータを記憶する。
【００７３】
ＣＰＵ１４は、ユーザの操作に基づいて、リモコン送信機２３から赤外線信号ＲＭが受光部２２に入力されるか、または、ユーザにより操作部２６に指令が入力されると、チューナ１２に図示せぬ放送局からの放送信号を受信させ、デコーダ１３にデコードさせる。デコーダ１３は、デコードした放送信号に基づくＳＤ信号（５２５ｉ信号）を、内部バス１１を介してＤＲＣ回路１８に出力する。
【００７４】
ＤＲＣ回路１８は、ＳＤ信号（５２５ｉ信号）を受信し、このＳＤ信号をＨＤ信号（１０５０ｉ信号）に変換する。この際、ＤＲＣ回路１８は、ユーザにより指令された、上述した空間解像度および時間解像度の調整値ｓ，ｚ（後述の図１６参照）、さらにはセンサ２８で取得されたユーザの周囲における環境情報に基づいて、ＨＤ信号による画像の空間解像度および時間解像度を調整する。本実施の形態において、ＤＲＣ回路１８には、環境情報として例えば明るさの情報ＬＩが供給される。なお、ＤＲＣ回路１８の構成については、特開２００５−９４１５４号公報（図５）に一例が記載されている。
【００７５】
このＤＲＣ回路１８で得られるＨＤ信号は、内部バス１１および入出力インターフェース１９を介して、表示部２４に出力される。表示部２４は、このＨＤ信号による画像を表示する。この表示部２４は、例えばＣＲＴ(Cathode-Ray Tube)ディスプレイ、あるいは液晶ディスプレイ（LCD:LiquidCrystal Display)、プラズマディスプレイ（PDP:Plasma Display Panel)等で構成されている。
【００７６】
情報取得用インターフェース１７には、上述した空間解像度および時間解像度の調整値ｓ，ｚが出力される。取得装置２７は、この情報取得用インターフェース１７に接続される。取得装置２７は、情報取得用インターフェース１７に出力される空間解像度および時間解像度の調整値ｓ，ｚに基づいて、ユーザによるこれら調整値ｓ，ｚの一連の調整における最終調整値およびこの最終調整値に至るまでの変化の過程にある調整値を取得する。この取得装置２７で取得された最終調整値等は蓄積装置２９に送られる。取得情報を蓄積装置２９に替えてＨＤＤ２５に保存してもよい。
【００７７】
また、上述した空間解像度および時間解像度の調整値ｓ，ｚの一連の調整毎にセンサ２８で取得されたユーザの周囲における環境情報は、取得装置２７を介して蓄積装置２９に送られ、最終調整値および履歴情報（操作過程の情報）と対応づけられて記憶される。ここで取得される環境情報は一種類または複数種類とされる。環境情報としては、例えば明るさ、騒音、視聴距離、視聴方向、温度、湿度、時刻、電波状況等が考えられる。なお、取得装置２７、センサ２８および蓄積装置２９の構成例については、図１６を参照して後述する。
【００７８】
内部バス１１は、必要に応じてドライブ２０に接続され、磁気ディスク、光ディスク、光磁気ディスク、あるいは半導体メモリなどによりなるリムーバブルメディア２１が適宜装着され、それから読み出されたコンピュータプログラムが、必要に応じてＨＤＤ２５にインストールされる。
【００７９】
また、バス１１には通信インターフェース３０が接続されており、この通信インターフェース３０を介してテレビジョン受像機１０とインターネット等の電気通信回線との間でデータ通信が行える。例えば、ＣＰＵ１４の指令により通信インターフェース３０を介して、ネットワーク側から映像信号や音声信号をダウンロードしてＨＤＤ２５に記憶させる。また、ＣＰＵ１４の指令により蓄積装置２９に蓄積した最終調整値および操作過程よりなる操作情報、並びに環境情報を、通信インターフェース３０を介してネットワーク側の所定の相手に送信する。
【００８０】
上述のように構成されるテレビジョン受像機１０において、取得装置２７および蓄積装置２９は、図１に示した情報蓄積装置５の一例である。また、表示部２４は図１に示した呈示装置３の一例である。また、操作部２６およびリモコン送信機２３は、図１に示した趣向データ可変装置２の可変部の一例である。リムーバブルメディア２１およびＨＤＤ２５は、情報蓄積装置５と同様に記憶機能を備えている。さらに、リムーバブルメディア２１およびＨＤＤ２５は、入力信号を供給する入力装置１の一例でもあり、リムーバブルメディア２１またはＨＤＤ２５に記録されている映像などのコンテンツデータが、ＣＰＵ１４の指示に基づいて読み出され、表示部２４に表示される。
【００８１】
図１５に示したテレビジョン受信機１０の動作を説明する。
【００８２】
チューナ１２で受信される放送信号は内部バス１１を介してデコーダ１３に供給される。デコーダ１３では、チューナ１２からの放送信号に対して復号化処理、誤り訂正処理等が施され、この放送信号に基づくＳＤ信号（５２５ｉ信号）が得られる。このデコーダ１３で得られるＳＤ信号は内部バス１１を介してＤＲＣ回路１８に供給される。
【００８３】
ＤＲＣ回路１８では、デコーダ１３からのＳＤ信号をＨＤ信号（１０５０ｉ信号）に変換する処理が行われる。この場合、ユーザにより指令された、空間解像度の調整値ｓおよび時間解像度の調整値ｚ、さらにはセンサ２８で取得されたユーザの周囲の明るさの情報ＬＩに基づいて、ＨＤ信号による画像の空間解像度および時間解像度が調整される。
【００８４】
このＤＲＣ回路１８で得られるＨＤ信号は、内部バス１１および入出力インタフェース１９を介して表示部２４に供給される。そして、表示部２４の画面上には、このＨＤ信号による画像が表示される。
【００８５】
また、情報取得用インターフェース１７には、上述した空間解像度の調整値ｓおよび時間解像度の調整値ｚが垂れ流し的に出力されている。これらの調整値ｓ，ｚは後述するユーザの調整操作によって変化する。取得装置２７では、情報取得用インターフェース１７に出力されている調整値ｓ，ｚから、これらの調整値ｓ，ｚの一連の調整における最終調整値およびこの最終調整値に至るまでの変化の過程にある調整値が取得される。そして、その最終調整値等が蓄積装置２９に送られ、最終調整値およびこの最終調整値に至る調整値の変化の過程に係る履歴情報（操作過程）として、そのままあるいは加工されて記憶される。
【００８６】
また、上述した調整値ｓ，ｚの一連の調整毎にユーザの周囲における環境情報がセンサ２８で取得される。そして、取得された環境情報が取得装置２７を介して蓄積装置２９に送られ、最終調整値および履歴情報と対応づけられてデータベースに記憶される。このように蓄積装置２９に記憶される最終調整値、履歴情報および環境情報は、テレビジョン受像機１０を操作するユーザが趣向の聞けるユーザである場合には、ユーザごとの操作過程パターンと趣向情報を含むデータベースが作成され、趣向の聞けないユーザの操作時の趣向を推定するのに利用される。また、テレビジョン受像機１０を操作するユーザが趣向の聞けないユーザである場合、趣向の聞けるユーザの操作過程パターンと趣向情報を含むデータベースに基づいて趣向を推定するのに利用される。
【００８７】
この場合、履歴情報により最終調整値の信頼度を判断でき、環境情報により最終調整値が如何なる環境におけるものであるか判断でき、最終調整値を効果的に利用できる。
【００８８】
ユーザは、リモコン送信機２３の操作によって、上述したように表示部２４の画面上に表示される画像の空間方向および時間方向の解像度を調整できる。ＤＲＣ回路１８では、特開２００５−９４１５４号公報に記載されているように、ＨＤ信号を構成する画素データ（以下、適宜、「ＨＤ画素データ」という）が推定式によって算出される。この推定式の係数データとして、ユーザのリモコン送信機２３の操作によって調整された空間方向、時間方向の解像度を定める調整値ｓ，ｚに対応したものが、これら調整値ｓ，ｚをパラメータとして含む生成式によって生成されて使用される。これにより、ＤＲＣ回路１８で得られるＨＤ信号による画像の空間方向、時間方向の解像度は、調整値ｓ，ｚに対応したものとなる。
【００８９】
図１６は、空間解像度および時間解像度の調整値ｓ，ｚを調整するためのユーザインターフェースの一例を示している。調整時には、表示部２４（図１５参照）に、調整値ｓ，ｚの調整位置を☆印のアイコン１１５ａで示した調整画面１１５が、ＯＳＤ(On Screen Display)表示される。また、リモコン送信機２３は、ユーザ操作手段としてロータリー式の摘み２３ｚ，２３ｓを備えている。図１７は、調整画面１１５を拡大して示したものである。
【００９０】
ユーザは摘み２３ｚを操作することで、調整画面１１５上でアイコン１１５ａの位置を左右に動かすことができ、時間方向の解像度の調整値ｚを調整できる。また、ユーザは摘み２３ｓを操作することで、調整画面１１５上でアイコン１１５ａの位置を上下に動かすことができ、空間方向の解像度の調整値ｓを調整できる。ユーザは、表示部２４に表示される調整画面１１５を参照して調整値ｓ，ｚを調整でき、その調整を容易に行うことができる。
【００９１】
なお、リモコン送信機２３は、ロータリー式の摘み２３ｚ，２３ｓの代わりに、シーソー式のボタン、押しボタン、或いはジョイスティック、マウスやトラックボール等のポインティングデバイス等を備えていてもよい。さらに、ユーザによって調整された調整値ｓ，ｚを、調整画面１１５上に数値表示してもよい。なお、リモコン送信機２３を使用せずに、テレビジョン受像機１０の操作部２６を直接操作して調整を行うようにしてもよい。
【００９２】
4.(2)  取得装置、センサおよび蓄積装置
次に、取得装置２７、センサ２８および蓄積装置２９の詳細を説明する。図１８は、これら取得装置２７、センサ２８および蓄積装置２９の構成を示している。以下では、画像の空間解像度および時間解像度を調整する場合を例に挙げて説明する。
【００９３】
4.(2).1  取得装置
まず、取得装置２７について説明する。取得装置２７は、調整値取得部２７ａと、バッファ２７ｂと、比較部２７ｃと、調整値送信部２７ｄと、センサ動作信号送信部２７ｅと、環境情報受信部と２７ｆと、環境情報送信部２７ｇとから構成されている。
【００９４】
調整値取得部２７ａは、情報取得用インターフェース１７（図１５参照）から垂れ流し的（連続的）に出力されている空間解像度の調整値ｓおよび時間解像度の調整値ｚをそれぞれ周期的に取得する。バッファ２７ｂは、調整値取得部２７ａで取得された調整値ｓ，ｚと比較するための調整値ｓ，ｚを保持する。比較部２７ｃは、調整値取得部２７ａで取得された今回の調整値ｓとバッファ２７ｂに保持されている調整値ｓとを比較し、同じでなければ今回の調整値ｓを調整値送信部２７ｄに送る。同様に、比較部２７ｃは、調整値取得部２７ａで取得された今回の調整値ｚとバッファ２７ｂに保持されている調整値ｚとを比較し、同じでなければ今回の調整値ｚを調整値送信部２７ｄに送る。
【００９５】
調整値送信部２７ｄは、比較部２７ｃから送られた調整値ｓ，ｚを蓄積装置２９に送信する。ここで、調整値取得部２７ａで取得される調整値ｓ，ｚには時刻情報が付加されている。したがって、比較部２７ｃから調整値送信部２７ｄに送られ、蓄積装置２９に送信される調整値ｓ，ｚにも、時刻情報が付加されている。これにより、取得装置２７から蓄積装置２９に調整値ｓ，ｚが間欠的に送信されても、蓄積装置２９では一連の調整における調整値の変化の過程を再現できる。なお、比較部２７ｃから調整値送信部２７ｄに調整値ｓ，ｚが送られるとき、その調整値ｓ，ｚがバッファ２７ｂにも送られ、このバッファ２７ｂに保持される調整値ｓ，ｚが更新される。
【００９６】
センサ動作信号送信部２７ｅは、比較部２７ｃから調整値送信部２７ｄに調整値ｓ，ｚが送られるとき、センサ動作信号をセンサ２８に送信する。環境情報受信部２７ｆは、センサ２８から送信されてくる環境情報を受信する。環境情報送信部２７ｇは、環境情報受信部２７ｆで受信された環境情報を蓄積装置２９に送信する。
【００９７】
図１９のフローチャートを参照して、取得装置２７の動作を説明する。
【００９８】
ステップＳ２１の待機状態にあるとき、周期的にステップＳ２２に進む。そして、ステップＳ２２で、内部バス１１に調整値ｓ，ｚが出力されているか否か、すなわち電源がオンであるか否かを判定する。電源がオフであるときは、ステップＳ２１の待機状態に戻る。一方、電源がオンであるときは、ステップＳ２３に進む。ステップＳ２３では、調整値取得部２７ａは、情報取得用インターフェース１７から出力されている調整値ｓ，ｚを取得する。この場合、取得された調整値ｓ，ｚには時刻情報が付加される。
【００９９】
次に、ステップＳ２４で、比較部２７ｃは、調整値取得部２７ａで取得された調整値ｓ，ｚ（取得値）とバッファ２７ｂに保持されている調整値ｓ，ｚ（保持値）とを比較し、同じであるか否かを判定する。同じであるときは、ステップＳ２１の待機状態に戻る。一方、同じでないときは、ステップＳ２５に進む。
【０１００】
ステップＳ２５では、比較部２７ｃは、調整値ｓが同じでないと判定されるときは調整値取得部２７ａで取得された調整値ｓを、一方調整値ｚが同じでないと判定されるときは調整値取得部２７ａで取得された調整値ｚを、調整値送信部２７ｄから蓄積装置２９に送信して調整時のログデータとして蓄積する。なお、調整値ｓおよび調整値ｚは別個に調整されるものであり（図１６参照）、ステップＳ２４で、調整値ｓおよび調整値ｚが双方とも同じでないと判定されることはない。
【０１０１】
次に、ステップＳ２６で、センサ動作信号送信部２７ｅはセンサ２８にセンサ動作信号を送信し、そして環境情報受信部２７ｆはセンサから送信されてくる環境情報を受信し、さらに環境情報送信部２７ｇはその環境情報を蓄積装置２９に送信する。蓄積装置２９は、調整値を取得時のログデータとしてその環境情報を蓄積する。
【０１０２】
そして、ステップＳ２７で、バッファ２７ｂの保持内容を更新し、その後にステップＳ２１の待機状態に戻る。この場合、調整値ｓが同じでないと判定されるときは調整値取得部２７ａで取得された調整値ｓを、一方調整値ｚが同じでないと判定されるときは調整値取得部２７ａで取得された調整値ｚを、比較部２７ｃからバッファ２７ｂに送ってバッファ２７ｂの内容を更新する。
【０１０３】
ユーザが調整値ｓ，ｚの調整を行うとき、情報取得用インターフェース１７から垂れ流し的に出力されている調整値ｓが変化する。上述した取得装置２７においては、この調整値ｓ，ｚの一連の調整における最終調整値およびこの最終調整値に至るまでの変化の過程にある調整値を取得し、蓄積装置２９に送信できる。
【０１０４】
4.(2).2  センサ
次に、センサ２８を説明する。図１８に示すセンサ２８は、センサ動作信号受信部２８ａと、センシング部２８ｂと、環境情報送信部２８ｃとからなっている。センサ動作信号受信部２８ａは、取得装置２７から送られてくるセンサ動作信号を受信する。
【０１０５】
センシング部２８ｂは、ユーザの周囲の環境情報、例えば明るさ、騒音、視聴距離、視聴方向、温度、湿度、時刻、電波状況等の情報を得る各種センサを有している。このセンシング部２８ｂの各種センサは、上述したセンサ動作信号受信部２８ａでセンサ動作信号を受信したときセンシング状態となって情報を取得する。ただし、明るさの情報ＬＩを得るセンサ（照度センサ）に関しては、上述したようにこの明るさの情報ＬＩがＤＲＣ回路１８（図１５参照）で使用されるので、照度センサが周期的にセンシング状態となって明るさの情報ＬＩを取得する。
【０１０６】
環境情報送信部２８ｃは、上述のセンシング部２８ｂの各種センサで取得された環境情報を取得装置２７に送信する。
【０１０７】
図２０のフローチャートを参照して、センサ２８の動作を説明する。
【０１０８】
ステップＳ３１の待機状態にあるとき、周期的にステップＳ３２に進む。そして、ステップＳ３２で、センサ動作信号受信部２８ａでセンサ動作信号を受信したか否かを判定する。センサ動作信号を受信していないときは、ステップＳ３１の待機状態に戻る。一方、センサ動作信号を受信したときは、ステップＳ３３に進む。
【０１０９】
ステップＳ３３では、センシング部２８ｂの各種センサがセンシング状態となり、ステップＳ３４で、当該各種センサは環境情報を取得する。そして、ステップＳ３５で、環境情報送信部２８ｃは、センシング部２８ｂの各種センサで取得した環境情報を取得装置２７に送信し、その後にステップＳ３１の待機状態に戻る。
【０１１０】
このように、センサ２８は、取得装置２７からセンサ動作信号が送られてくるとき、センシング部２８ｂの各種センサでユーザの周囲における環境情報を取得し、その環境情報を取得装置２７に送信する。なお、明るさの情報ＬＩに関しては、取得装置２７からのセンサ動作信号の送信の有無によらずに周期的に取得する。
【０１１１】
4.(2).3  蓄積装置
次に、蓄積装置２９を説明する。図１８に示す蓄積装置２９は、調整値受信部２９ａと、環境情報受信部２９ｂと、蓄積部２９ｃとからなっている。調整値受信部２９ａは、取得装置２７から送られてくる調整値ｓ，ｚを受信する。また、環境情報受信部２９ｂは、取得装置２７から送られてくる環境情報を受信する。
【０１１２】
また、蓄積部２９ｃは、調整値受信部２９ａで受信された調整値ｓ，ｚ、すなわち調整値ｓ，ｚの一連の調整における最終調整値およびこの最終調整値に至るまでの変化の過程にある調整値に基づいて、調整値ｓ，ｚの各一連の調整における最終調整値および最終調整値に至る調整値の変化の過程に係る履歴情報を記憶する。
【０１１３】
ここで、履歴情報として、最終調整値に至るまでの変化の過程にある調整値をそのまま記憶してもよいが、それから得られる加工情報を記憶してもよい。例えば、図６を用いて説明したように加工情報は、全体の収束時間の情報の他に、調整値の変化の過程に対応した波形の形状情報等が考えられる。
【０１１４】
4.(3)  取得装置をリモコン送信機に接続した例
上述実施の形態においては、テレビジョン受像機１０の情報取得用インターフェース１７に取得装置２７が接続され、したがってテレビジョン受像機１０の本体側から調整値ｓ，ｚの一連の調整における最終調整値およびこの最終調整値に至るまでの変化の過程にある調整値を取得するものを示した。
【０１１５】
取得装置２７が必要な情報にアクセスできるという条件を満たせば、取得装置２７の設置場所はどこでもよい。例えばこのような取得装置２７を、リモコン送信機２３に接続して、上述した調整値ｓ，ｚの一連の調整における最終調整値およびこの最終調整値に至るまでの変化の過程にある調整値を、リモコン送信機２３から取得することも考えられる。テレビジョン受像機１０側では実際にテレビジョン受像機１０が動作したときの情報が取得可能であるが、リモコン送信機２３に取得装置２７を接続した場合はユーザが操作したときの情報が取得可能である。
【０１１６】
図２１は、その場合における取得装置２７Ａ、センサ２８および蓄積装置２９Ａの構成を示している。センサ２８および蓄積装置２９Ａは、図１８に示すセンサ２８および蓄積装置２９と同一もしくはほぼ同一であるので、ここでは主に取得装置２７Ａについて説明する。この図２１において、図１８と対応する部分には同一符号を付して示している。
【０１１７】
取得装置２７Ａは、操作情報取得部２７ｈと、操作情報送信部２７ｉと、センサ動作信号送信部２７ｅと、環境情報受信部２７ｆと、環境情報送信部２７ｇとからなっている。
【０１１８】
操作情報取得部２７ｈには、リモコン送信機２３から、調整値ｓ，ｚを含む操作情報が送られてくる。操作情報取得部２７ｈは、調整値ｓ，ｚの調整操作が行われている場合、調整値ｓ，ｚを周期的に取得する。操作情報送信部２７ｉは、操作情報取得部２７ｈで取得された調整値ｓ，ｚを蓄積装置２９Ａに送信する。ここで、操作情報取得部２７ｈで取得される調整値ｓ，ｚには時刻情報が付加されている。
【０１１９】
センサ動作信号送信部２７ｅは、操作情報取得部２７ｈで調整値ｓ，ｚを取得するとき、センサ動作信号をセンサ２８に送信する。環境情報受信部２７ｆおよび環境情報送信部２７ｇは、図１８に示す取得装置２７における環境情報受信部２７ｆおよび環境情報送信部２７ｇと同じものである。
【０１２０】
蓄積装置２９Ａの操作情報受信部２９ｄは、取得装置２７Ａから送られてくる操作情報を受信し、蓄積部２９ｃに送る。蓄積部２９ｃは、操作情報受信部２９ｄで受信された操作情報、すなわち調整値ｓ，ｚの一連の調整における最終調整値およびこの最終調整値に至るまでの変化の過程にある調整値に基づいて、調整値ｓ，ｚの各一連の調整における最終調整値および最終調整値に至る調整値の変化の過程に係る履歴情報を記憶する。
【０１２１】
図２２のフローチャートを参照して、取得装置２７Ａの動作を説明する。
【０１２２】
ステップＳ４１の待機状態にあるとき、周期的にステップＳ４２に進む。そして、ステップＳ４２で、操作情報取得部２７ｈは、操作情報に基づいて、調整操作が行われているか否かを判定する。調整操作が行われていないときは、ステップＳ４１の待機状態に戻る。一方、調整操作が行われているときは、ステップＳ４３に進む。
【０１２３】
ステップＳ４３では、操作情報取得部２７ｈは、調整情報に含まれている調整値ｓ，ｚを取得し、操作情報送信部２７ｉに送る。この場合、取得された調整値ｓ，ｚには時刻情報が付加される。またこの場合、調整値ｓの調整操作が行われているときは当該調整値ｓを取得し、一方調整値ｚの調整操作が行われているときは当該調整値ｚを取得する。さらに、このステップＳ４３では、操作情報送信部２７ｉは、操作情報取得部２７ｈで取得されて送られてくる調整値ｓまたは調整値ｚを、蓄積装置２９Ａに送信して蓄積する。
【０１２４】
次に、ステップＳ４４で、センサ動作信号送信部２７ｅはセンサ２８にセンサ動作信号を送信し、そして環境情報受信部２７ｆはセンサから送信されてくる環境情報を受信し、さらに環境情報送信部２７ｇはその環境情報を蓄積装置２９Ａに送信して蓄積する。そして、このステップＳ４４の後に、ステップＳ４１の待機状態に戻る。
【０１２５】
ユーザがリモコン送信機２３で調整値ｓ，ｚの調整を行うとき、操作情報に基づいて調整操作を行っていることがわかる。したがって、上述した取得装置２７Ａにおいても、この調整値ｓ，ｚの一連の調整における最終調整値およびこの最終調整値に至るまでの変化の過程にある調整値を取得し、蓄積装置２９Ａに送信できる。
【０１２６】
また、上述実施の形態においては、ＤＲＣ回路１８で得られるＨＤ信号（１０５０ｉ信号）による画像の空間解像度および時間解像度を調整するものを示したが、この発明は、その他の画質、例えばノイズ抑圧度、輝度、色相、彩度等を調整するものにも同様に適用できる。また、この発明は、情報信号が音声信号であるものにも同様に適用できる。情報信号が音声信号であるとき、出力の質は音質であって、高音、低音の増減、ノイズ抑圧度、音量等が調整されることになる。
【０１２７】
また、上述実施の形態においては、ＤＲＣ回路１８に供給される環境情報は明るさの情報ＬＩであるが、これに限定されるものではなく、騒音の情報、視聴距離の情報、視聴方向、時刻、電波状況等の情報であってもよい。その場合も、特開２００５−９４１５４号公報に記載されているようにそれらの情報が示す環境状況に対応した係数種データｗi0〜ｗi9（ｉ＝１〜ｎ）が使用されて、推定式の係数データＷｉ（ｉ＝１〜ｎ）が生成される。
【０１２８】
＜５．取得情報の利用＞
上記のような取得装置を用いて取得した各情報を利用する方法について説明する。以下では、この利用方法としては、予め実験等により聞き取りを行う方法、各ユーザが取得した情報を郵送する方法、並びにネットワーク経由で送る方法について説明する。
【０１２９】
5．(1)  予め聞き取りを実施する方法
一連の調整における最終調整値、その最終調整値に至る調整値の変化の過程に係る履歴情報からなるおよび環境情報は、主にテレビジョン受像機の製造企業等で利用される。企業側は、実験段階において任意のユーザを集めて、趣向データ可変装置２およびセンサ４としての機能を備えユーザの操作情報を収集できる装置、例えばテレビジョン受像機１０を用いて、ユーザの一連の調整における最終調整値、履歴情報および環境情報を取得する。これと並行して、企業側は、一連の調整におけるユーザの趣向（操作意図、好み、気分等）の聞き取りを実施してテレビジョン受像機１０の蓄積装置２９またはＨＤＤ２５に保存しておく。そして、テレビジョン受像機１０ＣＰＵ１４は、取得した最終調整値および環境情報ごとに履歴情報をいくつかのパターンに分類し、その分類した履歴情報パターンと聞き取りした趣向を結びつけて、ユーザごとの履歴情報パターンと趣向情報のデータベースを作成し、蓄積装置２９またはＨＤＤ２５に保存する。
【０１３０】
そして、企業側は後述のような方法により趣向を聴けないユーザから、上記と同じ調整項目における一連の調整の履歴情報を取得し、テレビジョン受像機１０の蓄積装置２９またはＨＤＤ２５に保存する。ＣＰＵ１４は、この趣向の聞けないユーザの履歴情報のパターンを分析し、上記データベースに登録されている履歴情報パターンと似たものがないか照合する。似ている履歴情報パターンがある場合、その趣向の聞けないユーザは、上記データベース内の似ている履歴情報パターンと対応づけられているユーザグループに属すると判断する。そして、ＣＰＵ１４は、趣向の聞けないユーザの趣向を同じグループに属している趣向の聴けるユーザの趣向と同じであるとみなして、趣向が聞けないユーザの趣向を推定する。なお、趣向の聞けないユーザの趣向の推定処理を、テレビジョン受像機１０ではなく他のコンピュータに実行させてもよい。
【０１３１】
5．(2)  郵送による方法
趣向データ可変装置２およびセンサ４としての機能を備えユーザの操作情報を収集できる装置、例えばテレビジョン受像機１０を用いて、ユーザの一連の調整における最終調整値、履歴情報および環境情報を取得する。これらの取得情報は蓄積装置２９（２９Ａ）に蓄積されているので、ユーザがリムーバブルメディア２１に記録する。ここでのユーザとは、一連の調整における調整操作時の趣向を聞ける者である。したがって、ユーザは、図示しないグラフィカルユーザインターフェース（ＧＵＩ）の指示に従って、一連の調整を行ったときの趣向を入力して蓄積装置２９（２９Ａ）に記録しておき、上記取得情報とともに趣向情報をリムーバブルメディア２１に記録する。そして、ユーザは、リムーバブルメディア２１をテレビジョン受像機の製造企業等に郵送する。
【０１３２】
最終調整値、履歴情報および環境情報、並びに趣向情報が記録されたリムーバブルメディア２１を受け取った企業は、上述と同様に、これらの情報を利用して趣向の聞けないユーザの一連の調整における趣向を推定することができる。
【０１３３】
5．(3)  ネットワーク経由で送る方法
図１５に示す通信インターフェース３０を備えたテレビジョン受像機１０に接続された取得装置２７およびセンサ２８を用いて、ユーザの一連の調整における最終調整値、履歴情報および環境情報を取得し、蓄積装置２９（２９Ａ）に蓄積する。これと並行して、ユーザは、図示しないＧＵＩの指示に従って一連の調整を行ったときの趣向を入力し、蓄積装置２９（２９Ａ）に記録しておく。テレビジョン受像機１０は、通信インターフェース３０を介して、蓄積装置２９（２９Ａ）に保存された取得情報をネットワークに接続されている企業側のサーバへ送信する。
【０１３４】
企業側は、ネットワーク経由で、最終調整値、履歴情報および環境情報、並びに趣向情報を入手することができる。そして、企業側では、上述と同様に、これらの情報を利用して趣向の聞けないユーザの一連の調整における趣向を推定することができる。
【０１３５】
上述のような方法によって、ユーザの一連の調整における最終調整値、履歴情報および環境情報、並びに趣向情報を取得した企業は、ユーザの一連の調整における履歴情報パターンと趣向情報を対応づけたデータベース（図１３参照）を、ネットワーク経由で図１に示すテレビジョン受像機１０に配信するようにしてもよい。この場合、テレビジョン受像機１０は、このデータベースをＨＤＤ２５に保存する。そして、ユーザが任意の調整項目を調整する際、テレビジョン受像機１０のＣＰＵ１４は、その調整に係る履歴情報を用いてデータベースからユーザが属するユーザグループを特定し、そのユーザグループの履歴情報パターンに基づいてユーザの調整作業を補助するようにしてもよい。この場合、ユーザは、自分と趣向の似たユーザの調整内容および最終調整値を得ることができるので、調整の精度が向上するとともに精度が安定する。
【０１３６】
このように趣向データ可変装置とセンサを利用して取得した情報は、一連の調整における最終調整値を利用したアプリケーションに適用することができる。例えば、本出願人が先に提案した、ユーザの嗜好に合わせて画像の解像度等を変更可能とした情報信号処理装置（特願２００２−０２２４０７号、特願２００２−０２２４０９号）において、最終調整値を利用して画像内容に応じた調整値（調整範囲）を決定する際に使用できる。この場合、ユーザ調整に係る各一連の調整の最終調整値、履歴情報および環境情報は、その調整時における画像内容と関連づけて記憶装置に記憶される。
【０１３７】
そして、画像内容に応じた調整値を決定する際には、例えば当該画像内容に対応した複数の最終調整値を、履歴情報と趣向情報から得られる信頼度に基づいて重み付け平均して決定することで、ユーザの嗜好にあった調整値に精度よく決定できる。またこの際、そのときの環境に合致した最終調整値のみを用いて調整値を決定することで、さらにユーザの嗜好に合った調整値を決定できる。
【０１３８】
上述した実施の形態によれば、取得した情報の背景にあるユーザの趣向を把握することによりその情報の信頼性を評価することができる。取得した情報の利用を考えた際に、信頼性の度合いがわかることにより、精度の高いアプリケーションの提供が可能になる。
【０１３９】
また、取得した情報を回収し、将来的な研究開発に利用する際に、信頼性の度合いがわかることにより、精度の高いデータを利用しての検討が可能になる。
【０１４０】
なお、この発明は、情報信号による出力の質が所定の質となるようにユーザが調整する場合、一連の調整における最終調整値の他に、この最終調整値に至る調整値の変化の過程に係る履歴情報あるいはそれに加えてユーザの周囲における環境情報を記憶媒体に記憶しておくものであって、最終調整値をより効果的に利用可能としたものであり、画像表示装置、音響装置に適用できる。
【０１４１】
その他、本発明は、上述した実施の形態の例に限定されるものではなく、本発明の要旨を逸脱しない範囲において、種々の変形、変更が可能であることは勿論である。
【図面の簡単な説明】
【０１４２】
【図１】本発明によるシステムの概要を示す図である。
【図２】趣向の聞けるユーザと聞けないユーザの例を示す図である。
【図３】趣向の聞けるユーザに関する情報の加工処理を示すフローチャートである。
【図４】趣向の聞けないユーザに関する情報の加工処理を示すフローチャートである。
【図５】取得情報の概念を示す図である。
【図６】一連の調整における調整値の変化例（操作過程）を示す図である。
【図７】操作過程のパターン例を示す図である。
【図８】ユーザごとの操作過程のパターン例を示す図である。
【図９】操作過程と環境情報のパターン例を示す図である。
【図１０】環境情報ごとに操作過程のパターンがまとめられたデータベースのイメージを示す図である。
【図１１】操作過程パターンによるユーザの分類例を示す図である。
【図１２】趣向の聞けないユーザの趣向を推定するときの概念を示す図である。
【図１３】ユーザが属するグループの操作過程パターンと趣向情報のテーブルを示す図である。
【図１４】ユーザの趣向推定の説明に供する図である。
【図１５】本発明の一実施の形態に係るテレビジョン受像機の構成を示すブロック図である。
【図１６】画質を調整するためのユーザインターフェース例を示す図である。
【図１７】調整画面を拡大して示した図である。
【図１８】取得装置、センサ、蓄積装置（テレビ本体側）の構成を示すブロック図である。
【図１９】取得装置（テレビ本体側）の動作を示すフローチャートである。
【図２０】センサ（テレビ本体側）の動作を示すフローチャートである。
【図２１】取得装置、センサ、蓄積装置（リモコン側）の構成を示すブロック図である。
【図２２】取得装置（リモコン側）の動作を示すフローチャートである。
【符号の説明】
【０１４３】
１…入力装置、２…趣向データ可変装置、３…呈示装置、４…センサ、５…情報蓄積装置、１０…テレビジョン受像機、１１…内部バス、１２…チューナ、１３…デコーダ、１４…ＣＰＵ、１５…ＲＡＭ、１６…ＲＯＭ、１７…情報取得用インターフェース、１８…ＤＲＣ回路、１９…入出力インターフェース、２０…ドライブ、２１…リムーバブルメディア、２２…受光部、２３…リモコン送信機、２４…表示部、２５…ＨＤＤ、２６…操作部、２７，２７Ａ…取得装置、２８…センサ、２９，２９Ａ…蓄積装置、３０…通信インターフェース
【図１】
0005092575.tif 000002
【図２】
0005092575.tif 000003
【図３】
0005092575.tif 000004
【図４】
0005092575.tif 000005
【図５】
0005092575.tif 000006
【図６】
0005092575.tif 000007
【図７】
0005092575.tif 000008
【図８】
0005092575.tif 000009
【図９】
0005092575.tif 000010
【図１０】
0005092575.tif 000011
【図１１】
0005092575.tif 000012
【図１２】
0005092575.tif 000013
【図１３】
0005092575.tif 000014
【図１４】
0005092575.tif 000015
【図１５】
0005092575.tif 000016
【図１６】
0005092575.tif 000017
【図１７】
0005092575.tif 000018
【図１８】
0005092575.tif 000019
【図１９】
0005092575.tif 000020
【図２０】
0005092575.tif 000021
【図２１】
0005092575.tif 000022
【図２２】
0005092575.tif 000023